(57)【要約】【課題】解除操作性を向上することができる照明器具取付金具および照明器具を提供する。【解決手段】  器具本体５のスリット６の幅方向に相対向してスリット６に挿通可能な一対の側片８ａ、８ｂとこれらの側片を一端部で連結する折曲部７を有する略Ｕ字形であって一対の側片８ａ、８ｂが接近離間する方向に動作可能な脚部１と、一対の側片の他端部に設けられて器具本体５の内側面に当接する当接片１０を有するとともにつまみ片１１を有する内側当接部２と、脚部１の折曲部７に設けられた天井押圧部３と、脚部１に設けられて器具本体５の外側面に係止する外側係止部４とを備え、当接片１０は、器具本体５の内側面のスリット６の両側に位置し、当接片１０のスリット６に近い側が側片８ａ、８ｂの他端部に連結され、かつ、スリット６から遠い側がスリット６に近い側よりも器具本体５の内側面から離れるように傾斜している。【選択図】図１
2005259721.tif 000002
【特許請求の範囲】
【請求項１】
器具本体のスリットの幅方向に相対向して前記スリットに挿通可能な一対の側片とこれらの側片を一端部で連結する連結部を有する略Ｕ字形であって前記一対の側片が接近離間する方向に動作可能な脚部と、前記一対の側片の他端部に設けられて前記器具本体の内側面に当接する当接片を有するとともにつまみ片を有する内側当接部と、前記脚部の前記連結部側に設けられた天井押圧部と、前記脚部に設けられて前記器具本体の外側面に係止する外側係止部とを備え、
前記当接片は、前記器具本体の内側面の前記スリットの両側に位置し、前記当接片の前記スリットに近い側が前記側片の他端部に連結され、かつ、前記スリットから遠い側が前記スリットに近い側よりも前記器具本体の内側面から離れるように傾斜したことを特徴とする照明器具取付金具。
【請求項２】
請求項１記載の照明器具取付金具を有する照明器具。
【発明の詳細な説明】
【技術分野】
【０００１】
この発明は、ダウンライト等の照明器具の照明器具取付金具および照明器具に関するものである。
【背景技術】
【０００２】
第１の従来例を図２９および図３０に示す。すなわち、この照明器具取付金具は、矩形板にわん曲状に形成した内側係止部１２０と平板状に形成した外側係止部１２１との間にスリット挿通部１２２を形成し、また外側係止部１２１に切起し部１２３を形成し、その中間部をスリットに挿通している。１２１ａは係止片、１２４は天井押圧部である。この照明器具取付金具は、内側当接部１２０を器具本体１００の内側面に当接した状態で、天井押圧部１２４を天井材の上面に押圧して、外側係止部１２１の係止片１２１ａを器具本体１００の表面に係止して、器具本体１００を天井材に固定する。
【０００３】
第２の従来例を図３１ないし図３６に示す。すなわち、この照明器具取付金具は、器具本体１００のスリット１０１の幅方向に相対向してスリット１０１に挿通可能な一対の側片１０３とこれらの側片１０３を一端部で連結する連結部１０３ａを有する略Ｕ字形であって、一対の側片１０３が開閉する方向に動作可能な脚部１０４と、つまみ片１１２を有するとともに一対の側片１０３の他端部に設けられて器具本体１００の内側面に当接する内側当接部１０５と、脚部１０４の折曲部１０３ａ側に設けられた天井押圧部１０６と、脚部１０４の側片１０３の一方に設けられて器具本体１００の外側面に係止する外側係止部１０７とを備えている。１０９は天井材、１１０は器具本体１００の下端部の天井材１０９に係止する係止片である。
【０００４】
この照明器具取付金具は、器具本体１００のスリット１０１の上部の遊嵌孔１０８（図３４）から天井押圧部１０６および外側係止部１０７を通し、脚部１０４をスリット１０１に通しながら、器具本体１００を天井の埋込穴１１に挿入した後、図３３のように天井押圧部１０６を器具本体１００の外方に張出して、内側当接部１０５を器具本体１００の内面に当接するとともに、天井材１０９の上面に天井押圧部１０６を押圧し、かつ外側係止部１０７をスリット１０１の縁部に係止して器具本体１００を固定する。
【０００５】
また器具本体１００を取り外すときは、照明器具取付金具の内側当接部１０５のつまみ片１１２をつまんで脚部１０４の側片１０３を閉じる方向に動作しながら、脚部１０４をスリット１０１に沿って摺動し、天井押圧部１０６をスリット１０１側に挿入して外側係止部１０７を器具本体１００の表面に沿わせ、埋込穴１１１より器具本体１００を取り出す。
【特許文献１】特開昭６１−２７１７０１号
【発明の開示】
【発明が解決しようとする課題】
【０００６】
第１の従来例は、照明器具取付金具を器具本体１００のスリット１０１に挿通した状態で、天井押圧部１２４が器具本体１００から外方に突出しており、器具本体１００を埋込穴１１１に挿入すると外側係止部１２１が変形するため、器具本体１００を埋込穴１１１に挿入後に照明器具取付金具を器具本体１００のスリット１０１に挿入する必要があり、したがって器具本体１００を天井から外す場合も、照明器具取付金具を遊嵌孔まで矢印の方向に上げて器具本体１００から外し、その後器具本体１００を埋込穴１１１から外す必要があり、そのため解除操作性が悪く、施工性が悪かった。
【０００７】
第２の従来例は、脚部１０４を一対の側片１０３のスリット１０１の長手方向の一方の側縁における折曲部１０３ａから内側当接部１０５までの距離Ｌ3 を、側片１０３の他方の側縁における折曲部１０３ａから内側当接部１０５までの距離Ｌ4 よりも小さく形成するとともに、外側係止部１０７を距離Ｌ3 の側縁に設けているため、内側当接部１０５を図３３のようにつまむと側片１０３の距離Ｌ4 側の側縁側がより大きくたわみやすいので、図３４のように内側当接片１０５が傾斜し、外側係止部１０７は器具本体１００の表面からスリット１０１内に移動しないので、照明器具取付金具を移動しにくく、そのため照明器具取付金具の解除操作が容易にできないという欠点があった。
【０００８】
また図３５および図３６に示すように、内側当接部１０５と外側係止部１０７との間隔δ1 が小さいため、内側当接部１０５をつまんで外側係止部１０７をスリット１０１内に入らせるにしても、その解除操作が容易でない。したがって、この発明の目的は、解除操作性を向上することができる照明器具取付金具および照明器具を提供することである。
【課題を解決するための手段】
【０００９】
この発明の照明器具取付金具は、器具本体のスリットの幅方向に相対向して前記スリットに挿通可能な一対の側片とこれらの側片を一端部で連結する連結部を有する略Ｕ字形であって前記一対の側片が接近離間する方向に動作可能な脚部と、前記一対の側片の他端部に設けられて前記器具本体の内側面に当接する当接片を有するとともにつまみ片を有する内側当接部と、前記脚部の前記連結部側に設けられた天井押圧部と、前記脚部に設けられて前記器具本体の外側面に係止する外側係止部とを備え、
前記当接片は、前記器具本体の内側面の前記スリットの両側に位置し、前記当接片の前記スリットに近い側が前記側片の他端部に連結され、かつ、前記スリットから遠い側が前記スリットに近い側よりも前記器具本体の内側面から離れるように傾斜したことを特徴とするものである。
【００１０】
この発明の照明器具は、上記照明器具取付金具を有するものである。
【発明の効果】
【００１１】
この発明の照明器具取付金具によれば、内側当接部の器具本体の内面に当接する面の脚部に隣接する側と反対側が前記内面から離れる方向に傾斜したため、解除操作に際して内側操作部のつまみ片をつまむと、外側係止部の器具本体に食い込む係止力により内側当接部の傾斜面に沿って照明器具取付金具が器具本体より外方に移動し、このため外側係止部の器具本体に対する係止力が弱まるので、照明器具取付金具をスリットに沿って移動しやすく、照明器具取付金具の解除操作性が向上する。
【発明を実施するための最良の形態】
【００１２】
この発明の第１の実施の形態を図１ないし図５により説明する。すなわち、この照明器具取付金具は、脚部１と、内側当接部２と、天井押圧部３と、外側係止部４とを有する。脚部１は、器具本体５のスリット６の幅方向に相対向してスリット６に挿通可能な一対の側片８ａ，８ｂとこれらの側片８ａ，８ｂを一端部で連結する連結部すなわち側片８ａ，８ｂの一端部を折曲により連結する折曲部７を有する略Ｕ字形であって、一対の側片８ａ，８ｂが開閉する方向に動作可能である。実施の形態では、ばね性のある金属製の帯板をＵ字形に折曲することにより脚部１を形成するとともに、図２および図３のように各側片８ａ，８ｂの一側縁９ａ，９ａ′の折曲部７から内側当接部２までの寸法Ｌ1 を、各側片８ａ，８ｂの反対側の側縁９ｂ，９ｂ′の折曲部７から内側当接部２までの寸法Ｌ2 よりも大きく、Ｌ1 ＞Ｌ2 としている。このような構成は、従来例（図３１）と比較して、平面略Ｖ字形の帯板の中央を従来例と反対向きにＵ字に折曲することにより形成できる。
【００１３】
内側当接部２は、脚部１の各片８ａ，８ｂに設けられて器具本体５の内側面に当接する。実施の形態では、各片８ａ，８ｂの端部に互いに反対向きに折曲した当接片１０と、当接片１０の端部より脚部１の延び方向と反対向きに折曲したつまみ片１１と、つまみ片１１の上端部より延出した折曲片１２からなっている。つまみ片１１をつまむと各片８ａ，８ｂの折曲部７と反対側が狭閉し、離すと脚部１の弾性により拡開する。このとき、寸法Ｌ1 ，Ｌ2 の差により、大きい寸法Ｌ1側がたわみやすくなるので、内側当接部２は図５のように傾く。ただし、このときでも内側当接部２の幅の最小幅Ｗ1 および最大幅Ｗ2 はいずれもスリット６の幅Ｗ0 よりも大きく、Ｗ0 ＜Ｗ1 ＜Ｗ2 の関係になっている。
【００１４】
天井押圧部３は、脚部１の折曲部７側に設けられるが、実施の形態では折曲部７自体を用いている。外側係止部４は、脚部１に設けられて器具本体５の外側面に係止する。実施の形態では外側係止部４の基端部４ａを寸法Ｌ1 側の各側片８ａ，８ｂの一方の側縁９ａ，９ａ′に設けている。またつまみ片１１をつまんだときの外側係止部４の器具本体５に係止する先端の幅Ｗ3 はスリット５の幅Ｗ0 よりも小さくなるようにしている。
【００１５】
なお、図３において、１４は器具本体５の天井材１５の下面に係止する係止片、２０は埋込穴である。また図５において、１６はスリット６の上端部に連通した遊嵌孔である。この実施の形態によれば、脚部１の側片８ａ，８ｂにおける外側係止部４を設けた側縁９ａ，９ａ′の折曲部７から内側当接部２までの寸法Ｌ1 を、その側縁９ａ，９ａ′と反対側の側縁９ｂ，９ｂ′の折曲部７から内側当接部２までの寸法Ｌ2 よりも大きくしたため、内側当接部２のつまみ片１１をつまむと、側片８ａ，８ｂの外側係止部４を有する側縁９ａ，９ａ′側が図１および図５のようによりたみわみやすくなり、このために外側係止部４が器具本体５のスリット６内に容易に移動するので、照明器具取付金具をスリット６に沿って移動しやすく、照明器具取付金具の解除操作が容易になる。したがって、照明器具の施工性がアップする。
【００１６】
この発明の第２の実施の形態を図６ないし図１０に示す。すなわち、この照明器具取付金具は、第１の実施の形態において、器具本体５の内面に当接する内側接触片１８を内側当接部２のスリット６の長手方向で外側係止部４の係止方向の端部に設けている。実施の形態の内側接触片１８は内側当接部２の端部よりスリット６の長手方向の上方に延びた帯板状であって、先端を器具本体５の内面に向けて折曲している。この内側接触片１８は器具本体５の仮止め時の摩擦係止に使用され、器具本体５の本固定は内側当接部２の支持のもとに外側係止部４が器具本体５に食い込み係止する。
【００１７】
また天井押圧部３を係止ばね４の基端部４ａより折曲部７の方向に向けて延出している。この実施の形態では、つまみ片１１をつまんだときの幅Ｗ1 ′および外側係止部４の幅Ｗ3 が、スリット６の幅Ｗ0 よりも小さく、Ｗ0 ＞Ｗ1 ′、Ｗ0 ＞Ｗ3 となるように寸法設定されている。
【００１８】
図１０はスリット６に脚部１を進入するとともにつまみ片１１をつまんで内側接触片１８をスリット６の外側に進入して、外側係止部４および天井押圧部３を器具本体５の外面に沿わせ、この状態で器具本体５を天井材１５の埋込穴２０に挿入しまたは取り出すことができる。
【００１９】
この実施の形態によれば、器具本体５の内面に当接する内側接触片１８を、スリット６の長手方向で外側係止部４の係止方向の内側当接部４の端部に設けたため、解除操作に際して内側当接部４のつまみ片１１をつまむことにより、内側接触片１８がスリット６内に移動することができるので、照明器具取付金具をスリット６に沿って移動しやすく、照明器具取付金具の解除操作が容易にできる。
【００２０】
また図１０に示すように、脚部１をスリット６に挿入し、外側係止部４および天井押圧部３を器具本体５に沿った状態にすることができるので、器具本体５に照明器具取付金具を取付けた状態で外すことなく器具本体５を埋込穴２０から取り外すことができ、施工性が向上する。その他は第１の実施の形態と同様である。なお、第２の実施の形態は寸法Ｌ1 ，Ｌ2 が第１の実施の形態の関係のない照明器具取付金具にも適用できる。また内側接触片１８を仮止め固定のみならず本固定時に器具本体５に接触させていてもよい。
【００２１】
この発明の第３の実施の形態を図１１ないし図１５に示す。すなわち、この照明器具取付金具は、第１の実施の形態における寸法関係Ｌ1 ，Ｌ2 の設定に代えて、内側当接部２の器具本体５の内面に当接する面である当接片１０を脚部１に隣接する側と反対側が器具本体５の内面から離れる方向に傾斜したものである。つまり脚部１の側片８ａ，８ｂと当接片１０の表面とのなす角度αが９０度よりも大きくなっている。
【００２２】
この実施の形態によれば、解除操作に際して内側操作部２のつまみ片１１をつまむと、外側係止部４の器具本体５に食い込む係止力により図１２および図１３のように内側当接部２の傾斜面に沿って照明器具取付金具が器具本体５より外方に移動し、このため外側係止部４と内側当接部２の当接片１０との間隔δ2 が増大して、外側係止部４の器具本体５に対する係止力が弱まるので、照明器具取付金具をスリット６に沿って移動しやすく、照明器具取付金具の解除操作性が向上する。係止ばねの器具本体に対する係止力が弱まるので、解除操作性が向上する。
【００２３】
その他は第１の実施の形態と同様である。
【００２４】
この発明の第４の実施の形態を図１６ないし図１８に示す。すなわち、この照明器具取付金具は、つまみ片１１の表面が水平方向よりも下向きに傾斜するとともに、天井押圧部３を折曲部７の両側よりスリット６の幅方向の外方に張り出したものである。
【００２５】
この実施の形態によれば、つまみ片１１を操作して解除操作する際に、つまみ片１１が傾斜することにより、同じ高さの寸法において、傾斜しない場合よりも表面積を増大できるので、つまみやすくなり操作性がよくなるとともに、照明器具取付金具をスリット６に沿って上方に移動する際に、指がつまみ片１１の表面に垂直に押圧するようになるので指が滑りにくく、そのため照明器具取付金具をスリット６に沿って移動しやすくなる。
【００２６】
この点従来例は、図１９ないし図２１に示すように、つまみ片１１をつまんで照明器具取付金具を上にあげる際に、つまみ片１１の表面が垂直であるためすべりやすく、面積が小さいため手が痛くなり、そのためつまみ片１１に凸部５０を設けてつまみ片１１をすべりにくくしていたが、不十分であった。なお、その他の共通部分は第１の実施の形態と同一符号を付している。
【００２７】
この発明の第５の実施の形態を図２２ないし図２６に示す。すなわち、この照明器具取付金具は、一対のつまみ片１１が外開きとなるように当接片１０に対して角度βに傾斜したものである。つまり角度βは９０度以上としている。
【００２８】
この実施の形態によれば、照明器具取付金具を解除操作する際に、つまみ片１１が角度βに器具本体５の内面に向けて傾斜しているため、図２４に示すようにつまみ片１１の外縁部を把持しやすく、指がすべりにくい。しかもつまみ片１１の幅寸法が変化しなくても器具本体５の反射板等の内蔵物４８（図２３）の器具本体５内での大きさの制限が少なくなる。
【００２９】
この点従来例は、図２７および図２８のようにつまみ片１１′が器具本体５の内面に対して垂直であったため、つまみ片１１′をつまむと脚部１が狭まることにより図２７に示すようにつまみ片１１′が内向きに傾くため、指がすべって離れやすく、そのため操作しにくい。またつまみ片１１′が器具本体５の内方に突出しているため、器具本体５の内蔵物４８の大きさの制限を大きくしていた。
【００３０】
なお、その他の共通部分は第１の実施の形態と同一符号を付している。
【図面の簡単な説明】
【００３１】
【図１】この発明の第１の実施の形態の内側当接部をつまんだ状態の斜視図である。
【図２】照明器具取付金具の斜視図である。
【図３】器具本体の固定状態を示す部分断面図である。
【図４】内側当接部をつまんだ状態を示す断面図である。
【図５】つまんだ状態の内側当接部を器具本体の内側から見た部分図である。
【図６】第２の実施の形態の斜視図である。
【図７】その器具取付過程で外側係止部側から見た部分図である。
【図８】その断面図である。
【図９】内側当接部をつまんだ状態の外側係止部側から見た部分図である。
【図１０】脚部をスリットに挿入した状態の断面図である。
【図１１】第３の実施の形態の斜視図である。
【図１２】内側当接部をつまんだ状態の部分断面図である。
【図１３】その部分拡大図である。
【図１４】器具本体を天井に固定した状態の断面図である。
【図１５】内側当接部側からみた部分図である。
【図１６】第４の実施の形態の斜視図である。
【図１７】器具本体を天井に固定した状態の断面図である。
【図１８】内側当接部側からみた部分図である。
【図１９】比較例の内側当接部をつまんだ状態の斜視図である。
【図２０】その取付状態から内側当接部をつまんで上方に移動しようとする状態を示す断面図である。
【図２１】その内側当接部をつまんだ状態の内側当接部側から見た部分図である。
【図２２】第５の実施の形態の斜視図である。
【図２３】その部分断面図である。
【図２４】その内側当接部のつまみ片をつまんだ状態の部分断面図である。
【図２５】その内側当接部側からみた部分図である。
【図２６】その縦断面図である。
【図２７】第５の実施の形態に対応する比較例のつまみ片をつまんだ状態の部分図である。
【図２８】そのつまみ片の断面図である。
【図２９】第１の従来例の断面図である。
【図３０】その照明器具取付金具の斜視図である。
【図３１】第２の従来例の斜視図である。
【図３２】照明器具取付金具をスリットに挿通して内側当接部をつまんだ状態の斜視図である。
【図３３】器具本体固定状態の断面図である。
【図３４】その内側当接部をつまんだ状態の部分断面図である。
【図３５】その部分拡大図である。
【図３６】その部分拡大図である。
【符号の説明】
【００３２】
１ 脚部
２ 内側当接部
３ 天井押圧部
４ 外側係止部
５ 器具本体
６ スリット
７ 折曲部
８ａ，８ｂ 側片
９ａ，９ａ′ 一方の側縁
９ｂ，９ｂ′ 他方の側縁
Ｌ1 ，Ｌ2 寸法
【図１】
2005259721.tif 000003
【図２】
2005259721.tif 000004
【図３】
2005259721.tif 000005
【図４】
2005259721.tif 000006
【図５】
2005259721.tif 000007
【図６】
2005259721.tif 000008
【図７】
2005259721.tif 000009
【図８】
2005259721.tif 000010
【図９】
2005259721.tif 000011
【図１０】
2005259721.tif 000012
【図１１】
2005259721.tif 000013
【図１２】
2005259721.tif 000014
【図１３】
2005259721.tif 000015
【図１４】
2005259721.tif 000016
【図１５】
2005259721.tif 000017
【図１６】
2005259721.tif 000018
【図１７】
2005259721.tif 000019
【図１８】
2005259721.tif 000020
【図１９】
2005259721.tif 000021
【図２０】
2005259721.tif 000022
【図２１】
2005259721.tif 000023
【図２２】
2005259721.tif 000024
【図２３】
2005259721.tif 000025
【図２４】
2005259721.tif 000026
【図２５】
2005259721.tif 000027
【図２６】
2005259721.tif 000028
【図２７】
2005259721.tif 000029
【図２８】
2005259721.tif 000030
【図２９】
2005259721.tif 000031
【図３０】
2005259721.tif 000032
【図３１】
2005259721.tif 000033
【図３２】
2005259721.tif 000034
【図３３】
2005259721.tif 000035
【図３４】
2005259721.tif 000036
【図３５】
2005259721.tif 000037
【図３６】
2005259721.tif 000038